(57)【要約】   【課題】炭素系抵抗発熱体を有する電気ストーブにおいては、電気ストーブの重心位置が高くなり、僅かの衝撃で転倒するおそれがあり、また、炭素系抵抗発熱体は、肉厚の薄い平板ないし平帯の形状であることから、電気ストーブの転倒で、炭素系抵抗発熱体が切断して、使用不能となる問題点がある。【課題解決手段】前記支持台に支持されている発熱体ユニットの炭素系抵抗発熱体は厚さ方向に倒れると断線を生じることに着目して、支持台の重量バランスを変化させ炭素系抵抗発熱体の断面視長手方向かつ支持台の周辺部に支持台の重心位置を偏位させ、転倒時の転倒方向を炭素系抵抗発熱体の断面視長手方向に誘導する。前記支持台に支持されている発熱体ユニットの炭素系抵抗発熱体は厚さ方向の衝撃で断線を生じることに着目して、炭素系抵抗発熱体の厚さ方向に浮動状態で炭素系抵抗発熱体を支持する。【選択図】図１
2005037035.tif 000002
【特許請求の範囲】
【請求項１】
支持台の平面視重心位置を、炭素系抵抗発熱体の断面長手方向に周辺部に偏位させたことを特徴とする炭素系抵抗発熱体を有する電気ストーブ。
【請求項２】
炭素系抵抗発熱体の断面長手方向に位置して支持台周辺部の底面空間にウエイトを装備して、支持台の平面視重心位置を、炭素系抵抗発熱体の断面長手方向に周辺部に偏位させたことを特徴とする、請求項１に記載する炭素系抵抗発熱体を有する電気ストーブ。
【請求項３】
発熱体ユニットの炭素系抵抗発熱体を、その厚さ方向に浮動状態で本体ケースの固定体に支持して、炭素系抵抗発熱体の厚さ方向に浮動状態で炭素系抵抗発熱体を支持したことを特徴とする、炭素系抵抗発熱体を有する電気ストーブ
【請求項４】
発熱体ユニットの管体端部の取付け体の取付面を、炭素系抵抗発熱体の断面長手方向と平行させ、本体ケースの固定体の支持面と、前記取付け体の取付面との間に弾性体を介在させて、発熱体ユニットの固定板を炭素系抵抗発熱体の断面横方向に浮動状態で支持したことを特徴とする、炭素系抵抗発熱体を有する電気ストーブ。
【発明の詳細な説明】
【技術分野】
【０００１】
本願発明は、炭素系抵抗発熱体を有する電気ストーブに関するものである。
より詳しくは、炭素系抵抗発熱体および管体よりなる発熱体ユニットを内装するストーブ本体と支持台とより構成される電気ストーブに関するものである。
【背景技術】
【０００２】
本発明は、特願２００３−１５６２１４号（特許文献１）が公知である。
図12を参照して、ストーブ本体1は細長い筒状の形状で、平盤形状の支持台２に支持されて直立している。発熱体ユニット５は炭素系抵抗発熱体３および管体４より構成されている。
【０００３】
【特許文献１】特願２００３−１５６２１４号
【発明の開示】
【発明が解決しようとする課題】
【０００４】
上記形状にもとづき、電気ストーブの重心位置が高くなり、僅かの衝撃で転倒するおそれがある。
また、炭素系抵抗発熱体は、肉厚の薄い平板ないし平帯の形状（断面視巾の狭い長方形）で全長が長いことから、電気ストーブの転倒で、炭素系抵抗発熱体３が切断して、使用不能となる問題点がある。よって、炭素系抵抗発熱体３の断線を低減することを課題とする。
【課題を解決するための手段】
【０００５】
本願第1発明は、前記支持台に支持されている発熱体ユニットの炭素系抵抗発熱体は厚さ方向に倒れると断線を生じることに着目して、支持台の重量バランスを変化させ炭素系抵抗発熱体の断面視長手方向かつ支持台の周辺部に支持台の重心位置を偏位させ、転倒時の転倒方向を炭素系抵抗発熱体の断面視長手方向に誘導する。
本願第２発明は、前記支持台に支持されている発熱体ユニットの炭素系抵抗発熱体は厚さ方向の衝撃で断線を生じることに着目して、炭素系抵抗発熱体の厚さ方向に浮動状態で炭素系抵抗発熱体を支持する。
【発明の効果】
【０００６】
本願第1発明は、炭素系抵抗発熱体の断面長手方向に位置して支持台周辺部の底面空間にウエイトを装備することで、転倒時の転倒方向を炭素系抵抗発熱体の断面長手方向（巾方向）に誘導する。この結果、転倒による炭素系抵抗発熱体の断線故障を無くす効果を有する。
本願第２発明は、発熱体ユニットの取付け体を炭素系抵抗発熱体の断面横方向に浮動状態で支持することで、炭素系抵抗発熱体の厚さ方向（断面横方向）の衝撃に際して炭素系抵抗発熱体に作用する切断力を低減することにより、炭素系抵抗発熱体の断線を低減する効果を有する。
【発明を実施するための最良の形態】
【０００７】
本願第１発明は、炭素系抵抗発熱体の断面長手方向に位置して支持台周辺部の底面空間にウエイトを装備して、支持台の平面視重心位置を、炭素系抵抗発熱体の断面長手方向に周辺部に偏位させる。
本願第２発明は、発熱体ユニットの管体端部の取付け体（ソケット挿入体）の取付面を、炭素系抵抗発熱体の断面長手方向と平行させ、本体ケースの発熱体固定体（発熱体ソケット）の支持面と、前記取付け体（ソケット挿入体）の取付面との間に弾性体を介在させて、発熱体ユニットの取付け体を炭素系抵抗発熱体の断面横方向に浮動状態で支持する。
【実施例】
【０００８】
以下、図面を参照して実施例にもとづいて本願発明を詳細に説明する。
【０００９】
図１および図２を参照して、ストーブ本体1は細長い筒状の形状で、平盤形状の支持台２に支持されて直立し、発熱体ユニット５は炭素系抵抗発熱体３および管体４より構成されていることは、図11の公知技術の電気ストーブと同様である。
【００１０】
図１ないし図４において、６はスイッチ、10は本体ケース、11は反射板、12はガードである。
【００１１】
支持台２は、図５を参照して、嵌合構造20により分離自在とした半体支持台２Ａ、２Ｂよりなる合成樹脂成形品で、リブ21を形成して空間Ｈを存在させて、樹脂材料の使用量を節減して比較的軽量である。本体ケース10、反射板11およびガード12は金属製品である。
【００１２】
本体ケース10に固定された発熱体支持体13を設け、該発熱体支持体13に発熱体ユニット５を支持するための発熱体固定体(ソケット)14が固定されている。
【００１３】
発熱体ユニット５には、図６を参照して、両端部に取付け体(ソケット挿入体)７が形成されている。
【００１４】
本願第１発明の実施にあたり、図５を参照して、支持台２の裏面側の空間Ｈに、図６に示す、２個または４個の鋳鉄製のウエイト８を固定することで、炭素系抵抗発熱体３の断面長手方向に位置して支持台周辺部の底面空間Ｈにウエイト８を装備して、支持台の平面視重心位置は、炭素系抵抗発熱体の断面長手方向に周辺部に偏位している。ウエイト８はねじ孔８Ａに挿入したビスを介して支持台２のリブ21に固定している。  
【００１５】
上記のウエイト８を装備したことにより、支持台３の周縁を接地しつつ回動しウエイト８に隣接する支持台周縁が接地した状態でストーブは転倒する結果として、ストーブ転倒時の転倒方向を炭素系抵抗発熱体の断面長手方向（巾方向）に誘導する。
よって、転倒による炭素系抵抗発熱体の断線故障を無くことができる。
【００１６】
本願第２発明の実施にあたり、図７ないし図９を参照して、発熱体ユニット５の端部のソケット挿入支持部７の取付面７Ａを、炭素系抵抗発熱体３の断面長手方向と平行させ、図９に示すごとく、本体ケースの発熱体固定体（発熱体ソケット）14の支持面14Ａと、前記ソケット挿入支持部７の取付面７Ａとの間に弾性体9Ａ、9Ｂを介在させる。弾性体9Ａ、9Ｂは、板ばねで構成した。実施例においては、板ばねＡ(図１０参照)９Ａは、ビス止めにより固定部材に固定し、板ばねＢ(図１１参照)９Ｂは適宜の支持部材(図示省略)に係合する構造とした。    
【００１７】
発熱体ユニットのソケット挿入支持部７を炭素系抵抗発熱体３の断面横方向に浮動状態で支持することにより、炭素系抵抗発熱体３は、炭素系抵抗発熱体の断面横方向に浮動状態で支持される。その結果、炭素系抵抗発熱体の厚さ方向（断面横方向）の衝撃に際して炭素系抵抗発熱体に作用する切断力を低減することで、炭素系抵抗発熱体の断線を防止する。
【産業上の利用可能性】
【００１８】
本願発明は、炭素系抵抗発熱体を熱源する電気ストーブの利用を促進することにより、産業の発展に貢献するものである。
【図面の簡単な説明】
【００１９】
【図１】電気ストーブの正面図。
【図２】同じく側面図。
【図３】同じく平面図
【図４】ストーブ本体の中央部における横断面図。
【図５】電気ストーブの底面図。
【図６】ウエイトを示し、ａ図は斜視図、ｂ図は平面図、ｃ図は側面図。
【図７】発熱体ユニットの正面図。
【図８】同じく側面図。
【図９】発熱体ユニットの支持構造を示す本体ケースの部分断面図。
【図１０】弾性体(板ばね)Ａを示し、ａ図は斜視図、ｂ図は平面図、ｃ図は側面図。
【図１１】弾性体(板ばね)Ｂの斜視図。
【図１２】公知の電気ストーブの斜視図。
【符号の説明】
【００２０】
１  ストーブ本体
２  支持台
３  炭素系抵抗発熱体
４  管体
５  発熱体ユニット
６  取付け体(ソケット挿入体) 
８  ウエイト
9Ａ  弾性体Ａ(板ばねＡ)
9Ｂ  弾性体Ｂ(板ばねＢ)
１０  本体ケース
１３    発熱体支持体
１４    発熱体ソケット
【図１】
2005037035.tif 000003
【図２】
2005037035.tif 000004
【図３】
2005037035.tif 000005
【図４】
2005037035.tif 000006
【図５】
2005037035.tif 000007
【図６】
2005037035.tif 000008
【図７】
2005037035.tif 000009
【図８】
2005037035.tif 000010
【図９】
2005037035.tif 000011
【図１０】
2005037035.tif 000012
【図１１】
2005037035.tif 000013
【図１２】
2005037035.tif 000014